(57)【要約】【課題】平形柔軟ケーブルを取り付ける際の位置決めをより良好に行うことができる電気コネクタを提供する。【解決手段】平形柔軟ケーブル７を受けるための受け部９の前方に、段差面２９７を介して第１ガイド面２９３を１段高く配置する。第１ガイド面２９３に一定間隔を空けて対向する第２ガイド面２９５を配置する。平形柔軟ケーブル７の先端部を手前側からほぼ水平に受け部９側へと向かわせ、ガイド用突部７１を対応する第１ガイド面２９３に当接させる（図３（ａ）参照）。ガイド用突部７１が第１ガイド面２９３に沿うようにして平形柔軟ケーブル７の先端部を受け部９側に導き、当該先端部を第１ガイド面２９３から受け部９に落下させる。【効果】平形柔軟ケーブル７の先端部が受け部９に落下する際にクリック音が生じるので、平形柔軟ケーブル７の位置決めが達成されたことが作業者に分かりやすい。【選択図】            図３
2004311204.tif 000002
【特許請求の範囲】
【請求項１】
配線基板に実装され、平形柔軟ケーブルを上記配線基板に電気接続するために用いられる電気コネクタであって、
上記電気コネクタに挿入される平形柔軟ケーブルの先端部を上記配線基板側から受けるための受け部と、
上記受け部に受けられた平形柔軟ケーブルの先端部の両側縁に突設された１対のガイド用突部をケーブル挿入方向手前側から規制して、当該平形柔軟ケーブルを位置決めするための段差面と、
上記受け部に対してケーブル挿入方向手前側に上記段差面を介して上記受け部よりも高く配置され、上記配線基板の表面とほぼ平行に延びていて、上記受け部へと向かう平形柔軟ケーブルの上記１対のガイド用突部を上記配線基板側からガイドする１対の第１ガイド面と、
上記１対の第１ガイド面に対して上記配線基板と反対側に一定の間隔を開けて対向し、上記受け部へと向かう平形柔軟ケーブルの上記１対のガイド用突部を上記配線基板と反対側からガイドする１対の第２ガイド面とを含むことを特徴とする電気コネクタ。
【請求項２】
上記１対の第２ガイド面は、上記段差面によって位置決めされる平形柔軟ケーブルの上記１対のガイド用突部に対してケーブル挿入方向手前側にずれた位置に配置されていることを特徴とする請求項１記載の電気コネクタ。
【請求項３】
上記１対の第１ガイド面は、そのケーブル挿入方向手前側の端部が上記１対の第２ガイド面との対向位置を超えてケーブル挿入方向手前側まで延設されていることを特徴とする請求項１または２記載の電気コネクタ。
【発明の詳細な説明】
【０００１】
【発明の属する技術分野】
この発明は、ＦＰＣ（Ｆｌｅｘｉｂｌｅ  Ｐｒｉｎｔｅｄ  Ｃｉｒｃｕｉｔ）などの平形柔軟ケーブルを配線基板に接続するために用いられる電気コネクタに関する。
【０００２】
【従来の技術】
平形柔軟ケーブルを挿入するための開口部を有するハウジングを備え、このハウジングに保持された複数のコンタクトが開口部から挿入された平形柔軟ケーブルに圧接されることにより、当該平形柔軟ケーブルに対する電気的な接続が達成されるような電気コネクタが知られている（たとえば、特許文献１および２参照）。
【０００３】
この種の電気コネクタの中には、ハウジングに対して回動可能に取り付けられたカバーを回動させて開くことにより、複数のコンタクトの圧接位置に平形柔軟ケーブルを挿入するための挿入空間を形成し、この挿入空間内に無挿入力で平形柔軟ケーブルを挿入することができるようになっているものがある（たとえば、特許文献３参照）。このような電気コネクタは、いわゆるＺＩＦ（Ｚｅｒｏ  Ｉｎｓｅｒｔｉｏｎ  Ｆｏｒｃｅ）タイプのものであって、平形柔軟ケーブル挿入後にカバーを閉じると、複数のコンタクトが当該平形柔軟ケーブルに圧接されて、電気的な接続が達成される。
【０００４】
さらに、この種の電気コネクタの中には、たとえば、開口部から挿入される平形柔軟ケーブルの先端部を下方（配線基板側）から受ける受け部を備えていて、この受け部に先端部が受けられるように平形柔軟ケーブルを開口部から挿入することによって、当該平形柔軟ケーブルの先端部を圧接位置に導き、その後にカバーを閉じることにより、平形柔軟ケーブルを当該電気コネクタに固定することができるようになっているものがある。
【０００５】
上記の電気コネクタには、たとえば、受け部に対して平形柔軟ケーブルの挿入方向手前側に連設され、受け部へと挿入される平形柔軟ケーブルの先端部の両側縁に突設された１対のガイド用突部を下方からガイドする１対のガイド面が設けられている。１対のガイド面は、受け部よりも１段高く配置されている。平形柔軟ケーブルを当該電気コネクタに取り付ける際には、平形柔軟ケーブルの先端部近傍よりも手前側を摘んで、当該平形柔軟ケーブルの先端部を手前側斜め上方から開口部に向かわせて、１対のガイド用突部を上記１対のガイド面に当接させる。これにより、１対のガイド用突部の先端の幅方向（挿入方向に直交する方向）への変位が規制されて、当該平形柔軟ケーブルの幅方向の位置決めが達成される。
【０００６】
そして、１対のガイド用突部が１対のガイド面に沿うようにして、平形柔軟ケーブルの先端部をさらに受け部側に導くと、１対のガイド用突部がガイド面から受け部へと落下し、平形柔軟ケーブルの先端部が受け部によって受けられることとなる。その後、平形柔軟ケーブルを配線基板の表面に対してほぼ平行にすれば、１対のガイド用突部が、受け部とガイド面との段差面に引っかかり、平形柔軟ケーブルを手前側に引っ張っても抜けなくなる。これにより、平形柔軟ケーブルの挿入方向の位置決めが達成され、この状態でカバーを閉じれば、平形柔軟ケーブルを電気コネクタに固定することができる。
【０００７】
【特許文献１】
特開平１１−３２９６１９号公報
【特許文献２】
特開平８−１８０９４０号公報
【特許文献３】
特開２０００−２１４７８号公報
【０００８】
【発明が解決しようとする課題】
しかしながら、上記のような電気コネクタでは、平形柔軟ケーブルをほとんど撓ませることなく、その先端部を手前側斜め上方から開口部に向かわせることになるので、１対のガイド用突部が対応するガイド面に当接した状態では、当該ガイド用突部からガイド面に対して、平形柔軟ケーブルの撓みに基づく押圧力がほとんど作用しない。したがって、その後に１対のガイド用突部がガイド面に沿うようにして平形柔軟ケーブルの先端部がさらに受け部側に導かれ、当該平形柔軟ケーブルの先端部が受け部へと落下するとき、平形柔軟ケーブルの撓み状態からの返り量が小さくなる。
【０００９】
この場合、平形柔軟ケーブルの先端部が受け部に落下する際のクリック音（装着音）がほとんど生じないので、確実に位置決めできたかどうかが作業者に分かりにくく、位置決めを良好に行うことができない場合があった。
近年の電気機器（パーソナルコンピュータなど）の小型化に伴って、電気コネクタの小型化および薄型化が望まれているが、小型（薄型）の電気コネクタでは、特に平形柔軟ケーブルの位置決めが困難である。
【００１０】
この発明は、かかる背景のもとでなされたもので、平形柔軟ケーブルを取り付ける際の位置決めをより良好に行うことができる電気コネクタを提供することを目的とする。
【００１１】
【課題を解決するための手段および発明の効果】
上記目的を達成するための請求項１記載の発明は、配線基板（８）に実装され、平形柔軟ケーブル（７）を上記配線基板に電気接続するために用いられる電気コネクタ（１）であって、上記電気コネクタに挿入される平形柔軟ケーブルの先端部を上記配線基板側から受けるための受け部（９）と、上記受け部に受けられた平形柔軟ケーブルの先端部の両側縁に突設された１対のガイド用突部（７１）をケーブル挿入方向（Ｄ）手前側から規制して、当該平形柔軟ケーブルを位置決めするための段差面（２９７）と、上記受け部に対してケーブル挿入方向手前側に上記段差面を介して上記受け部よりも高く配置され、上記配線基板の表面とほぼ平行に延びていて、上記受け部へと向かう平形柔軟ケーブルの上記１対のガイド用突部を上記配線基板側からガイドする１対の第１ガイド面（２９３）と、上記１対の第１ガイド面に対して上記配線基板と反対側に一定の間隔を開けて対向し、上記受け部へと向かう平形柔軟ケーブルの上記１対のガイド用突部を上記配線基板と反対側からガイドする１対の第２ガイド面（２９５）とを含むことを特徴とする電気コネクタである。
【００１２】
なお、括弧内の英数字は、後述の実施形態における対応構成要素などを表す。以下、この項において同じ。
この構成によれば、平形柔軟ケーブルを当該電気コネクタに取り付ける際には、第１ガイド面と第２ガイド面との間の空間（案内凹部）内を平形柔軟ケーブルのガイド用突部が通るようにして、平形柔軟ケーブルの先端部を手前側からほぼ水平に（配線基板の表面とほぼ平行に）受け部側へと向かわせることとなる。通常、配線基板の表面と第１ガイド面との距離は短いので、平形柔軟ケーブルの先端部近傍よりも手前側を摘んで、その摘んだ部分から手前側（先端部と反対側）の部分を上方（配線基板と反対側）に大きく撓ませなければ、平形柔軟ケーブルの先端部を手前側からほぼ水平に受け部側に向かわせることが困難である。この場合、案内凹部内に導かれた平形柔軟ケーブルの先端部のガイド用突部は第１ガイド面に当接し、当該ガイド用突部から第１ガイド面に対して、平形柔軟ケーブルの撓みに基づく押圧力が作用する。
【００１３】
したがって、その後にガイド用突部が第１ガイド面に沿うようにして平形柔軟ケーブルの先端部が受け部側に導かれ、当該平形柔軟ケーブルの先端部が第１ガイド面から受け部へと落下するとき、平形柔軟ケーブルの撓み量が多いので、撓み状態から戻る平形柔軟ケーブルの先端部が受け部に対して強くぶつかる。この場合、平形柔軟ケーブルの先端部が受け部にぶつかる際にクリック音が生じるので、平形柔軟ケーブルの位置決めが達成されたことが作業者に分かりやすい。したがって、位置決めをより良好に行うことができる。
【００１４】
比較的小型（薄型）の電気コネクタでは、特に平形柔軟ケーブルの位置決めが困難であるので、上記の効果がより高い。
また、１対の第２ガイド面を構成する部材（庇部材）が、電気コネクタの前端上部の見やすい位置に配置されるので、平形柔軟ケーブルの先端部を案内凹部へと向かわせる際、庇部材を目標とすれば、より容易に平形柔軟ケーブルを案内することができる。
【００１５】
請求項２記載の発明は、上記１対の第２ガイド面（２９５）は、上記段差面（２９７）によって位置決めされる平形柔軟ケーブル（７）の上記１対のガイド用突部（７１）に対してケーブル挿入方向手前側にずれた位置に配置されていることを特徴とする請求項１記載の電気コネクタ（１）である。
この構成によれば、１対の第２ガイド面が段差面によって位置決めされる平形柔軟ケーブルの１対のガイド用突部に対してケーブル挿入方向手前側にずれているので、受け部により受けられた平形柔軟ケーブルの１対のガイド用突部が上方（配線基板と反対側）から視認可能となる。したがって、平形柔軟ケーブルの位置決めが確実に達成されたことを作業者が視認できるので、位置決めをさらに良好に行うことができる。
【００１６】
請求項３記載の発明は、上記１対の第１ガイド面（２９３）は、そのケーブル挿入方向（Ｄ）手前側の端部が上記１対の第２ガイド面（２９５）との対向位置を超えてケーブル挿入方向手前側まで延設されていることを特徴とする請求項１または２記載の電気コネクタ（１）である。
この構成によれば、１対の第１ガイド面のケーブル挿入方向手前側の端部が１対の第２ガイド面に対向しない領域を有しているので、平面視では（配線基板と反対側から見た場合）、第１ガイド面の前端部が上方に開放されている。したがって、平形柔軟ケーブルの先端部を案内凹部に向かわせる際、その先端部の位置が若干上方（配線基板と反対側）にずれている場合でも、第２ガイド面が第１ガイド面に対向していない部分（切欠き）を介して案内凹部（第１ガイド面側）に導くことができるので、平形柔軟ケーブルの幅方向（ケーブル挿入方向に直交する方向）の位置決めがより容易である。
【００１７】
上記１対の第２ガイド面（２９５）を構成する１対の庇部材（２９４）を含むような構成であってもよい。
この場合、上記庇部材のケーブル挿入方向手前側に切欠き（２９６）が形成されていて、この切欠きによって、上記１対の第１ガイド面のケーブル挿入方向手前側の端部に、上記１対の第２ガイド面に対向しない領域が形成されていてもよい。
【００１８】
【発明の実施の形態】
以下には、図面を参照して、この発明の実施形態について具体的に説明する。
図１は、この発明の一実施形態に係る電気コネクタ１の外観構成を示す図であって、カバー４を開いた状態を示している。図１（ａ）は平面図、図１（ｂ）は正面図、図１（ｃ）は右側面図をそれぞれ示している。ただし、図１（ａ）および図１（ｂ）では、電気コネクタ１の左右方向の中間部を省略して示している。
【００１９】
この電気コネクタ１は、たとえば、パーソナルコンピュータなどの電気機器に用いられる比較的小型（薄型）のコネクタであって、左右方向の長さが２９ｍｍ程度、前後方向の長さが約７ｍｍ程度、高さが２．５ｍｍ程度である。電気コネクタ１は、たとえば、上板部２１、下板部２２および左右側板部２３によって区画された内部空間２４を有する合成樹脂製のハウジング２を備えている。この電気コネクタ１は、当該電気コネクタ１が実装される配線基板と、ハウジング２に対して前方から挿入方向Ｄに挿入されるＦＰＣ（Ｆｌｅｘｉｂｌｅ  Ｐｒｉｎｔｅｄ  Ｃｉｒｃｕｉｔ）などの平形柔軟ケーブル７とを電気的に接続するためのものである。
【００２０】
ハウジング２の左右側板部２３には、それぞれ前端から後方に延びる圧入孔２５が形成されていて、各圧入孔２５には、たとえば、金属製の補強タブ３が前方から圧入されている。各補強タブ３は、たとえば、金属板に対して打ち抜き加工を行うことにより作製されたものであって、圧入孔２５に圧入される圧入部３１と、取付状態でハウジング２の側板部２３から前方に突出する主体部３２とを有している。
【００２１】
主体部３２の上端縁は、ハウジング２の側板部２３とほぼ同じ高さまで延びている（図１（ｃ）参照）。主体部３２の後縁上端部には、後方に突出する突出部３２１が形成されていて、当該補強タブ３がハウジング２に前方から圧入されることにより、上記突出部３２１が、ハウジング２の側板部２３の前縁上端部から前方に突出した突出部２１１と一定の間隔を開けて対向するようになっている。圧入部３１の下端縁には、たとえば、圧入孔２５に前方から圧入された圧入部３１を当該圧入孔２５に係止するための２つの係止突起３４が形成されている。
【００２２】
ハウジング２は、たとえば、その上板部２１および側板部２３よりも下板部２２が前方に張り出した形状を有していて、これにより、ハウジング２の上側の前端部（１対の補強タブ３によって挟まれた部分）が、平形柔軟ケーブル７の先端部を挿入するための開口部２６を構成している。開口部２６は、たとえば、左右方向に沿って同軸に延びる金属製の回動軸４１を中心に回動可能な合成樹脂製のカバー４によって開閉される。
【００２３】
各回動軸４１は、カバー４の左右両端面の後端部から左右方向に突出している。補強タブ３の主体部３２の後端縁と、これに対向する側板部２３の前端縁と、主体部３２および側板部２３からそれぞれ突出する突出部３２１，２１１とで囲まれた空間は、カバー４の回動軸４１を挿通するための挿通孔３５を形成している。カバー４の各回動軸４１が対応する挿通孔３５に挿入されることにより、カバー４が回動可能に取り付けられる。
【００２４】
ハウジング２には、挿入された平形柔軟ケーブル７に圧接されて、当該平形柔軟ケーブル７と配線基板との電気的な接続を達成するための複数のコンタクト５，６（たとえば、計８０個）が、開口部２６に臨むように保持されている。各コンタクト５，６は、たとえば、金属板の打ち抜き加工によって作製される。複数のコンタクト５，６は、たとえば平面視で、左右方向に等間隔（たとえば、０．３ｍｍピッチ程度）を空けて平行に配置されている。
【００２５】
この実施形態では、複数のコンタクト５，６には、たとえば、ハウジング２に対して前方から圧入される第１コンタクト５と、ハウジング２に対して後方から圧入される第２コンタクト６との２種類が含まれており、これらの第１および第２コンタクト５，６が左右方向に沿って交互に配置されている。
ただし、第１コンタクト５および第２コンタクト６のハウジング２に対する圧入方向は、上記のような方向に限らず、第１コンタクト５がハウジング２に対して後方から圧入され、第２コンタクト６がハウジング２に対して前方から圧入されるような構成であってもよいし、第１コンタクト５と第２コンタクト６とが同じ方向（前方または後方）から圧入されるような構成であってもよい。
【００２６】
ハウジング２の下板部２２の前端部左右両側からは、当該電気コネクタ１に平形柔軟ケーブル７を取り付ける際に平形柔軟ケーブル７の先端部を案内するための案内部２９が前方に突出している。各案内部２９は、たとえば、ハウジング２の側板部２３とほぼ同じ高さに形成されていて、その内面２９１の上部には、平形柔軟ケーブル７の先端部を案内するための案内凹部２９２が、前後方向に真っ直ぐ延びるように形成されている。
【００２７】
この電気コネクタ１に取り付けられる平形柔軟ケーブル７の幅（左右方向の長さ）は、両案内部２９の内面２９１間の距離に略一致している。平形柔軟ケーブル７の先端部の左右両側縁には、案内凹部２９２内を通過させて当該先端部を案内するためのガイド用突部７１がそれぞれ形成されている。案内凹部２９２の内底面は、当該案内凹部２９２内を通過する平形柔軟ケーブル７のガイド用突部７１を下方からガイドするための第１ガイド面２９３を構成している。また、案内凹部２９２の内上面は、案内部２９の上端縁から内側（左右方向）に突出する庇部材２９４の下面により形成され、案内凹部２９２内を通過する平形柔軟ケーブル７のガイド用突部７１を上方からガイドするための第２ガイド面２９５を構成している。第１ガイド面２９３と第２ガイド面２９５とは、一定の間隔（たとえば、０．７ｍｍ程度）を空けて対向している。
【００２８】
カバー４の前側（回動軸４１と反対側）の左右方向の長さは、両案内部２９の庇部材２９４の先端間の距離と略一致している。したがって、カバー４を閉じた状態では、カバー４の前端部の下面が第１ガイド面２９３によって受けられ、案内凹部２９２がカバー４で塞がれるようになっている。カバー４の左右両側面の前端部には、それぞれ、当該カバー４を閉状態にロックするための係合爪部４３が突設されている。カバー４を開状態から閉状態へと回動させると、係合爪部４３が庇部材２９４にぶつかった後、これら各部４３，２９４の弾性変形によって係合爪部４３が庇部材２９４を下方に乗り越える。これにより、係合爪部４３が庇部材２９４の下面（第２ガイド面２９５）に係合して、カバー４が閉状態にロックされる。
【００２９】
カバー４の後側（回動軸４１側）の左右両端部は、当該カバー４の前側の左右両端部よりも左右方向に突出した突出部４２となっている。カバー４の後側（突出部４２が設けられた部分）の左右方向の長さは１対の補強タブ３間の距離に略一致していて、カバー４を閉じた状態では、開口部２６全体がカバー４で覆われる。
図２および図３は、図１（ａ）のＡ−Ａ線に沿った断面図である。図２（ａ）は、平形柔軟ケーブル７を挿入せずにカバー４を閉じた状態、図２（ｂ）は、図２（ａ）の状態からカバー４を開いた状態をそれぞれ示している。図３（ａ）は、カバー４を開いた状態で平形柔軟ケーブル７を挿入する途中の状態、図３（ｂ）は、平形柔軟ケーブル７を挿入した後の状態、図３（ｃ）は、図３（ｂ）の状態からカバー４を閉じた状態をそれぞれ示している。
【００３０】
また、図４および図５は、図１（ａ）のＢ−Ｂ線に沿った断面図である。図４（ａ）は、平形柔軟ケーブル７を挿入せずにカバー４を閉じた状態、図４（ｂ）は、図４（ａ）の状態からカバー４を開いた状態をそれぞれ示している。図５（ａ）は、カバー４を開いた状態で平形柔軟ケーブル７を挿入する途中の状態、図５（ｂ）は、平形柔軟ケーブル７を挿入した後の状態、図５（ｃ）は、図５（ｂ）の状態からカバー４を閉じた状態をそれぞれ示している。
【００３１】
図２〜図５を参照して、各コンタクト（図２，３に示す第１コンタクト５および図４，５に示す第２コンタクト６）は、平形柔軟ケーブル７に対して圧接される接触部５６，６６を備えていて、これらの接触部５６，６６が開口部２６まで張り出している。
図２（ａ）および図４（ａ）に示す状態からカバー４を開けると、各接触部５６，６６の上方が開放されて、コンタクト５，６の圧接位置に平形柔軟ケーブル７の厚さと同等以上の高さの挿入空間２７が形成され（図２（ｂ）および図４（ｂ）参照）、この挿入空間２７を介して平形柔軟ケーブル７を挿入することができるようになっている。このような電気コネクタ１は、平形柔軟ケーブル７を無挿入力で挿入することができる、いわゆるＺＩＦ（Ｚｅｒｏ  Ｉｎｓｅｒｔｉｏｎ  Ｆｏｒｃｅ）タイプのものである。
【００３２】
第１コンタクト５の接触部５６および第２コンタクト６の接触部６６は、互いに前後方向にずれた位置に配置されている。したがって、各コンタクト５，６の接触部５６．６６は、平面視で左右方向に沿って千鳥状に並んでいる。これらの各コンタクト５，６の接触部５６，６６の先端により、電気コネクタ１に挿入された平形柔軟ケーブル７の先端部を受けるための受け部９が構成されている。案内部２９の第１ガイド面２９３は、この受け部９よりも１段高く配置されている。
【００３３】
図２および図３を参照して、第１コンタクト５は、たとえば、ハウジング２の内部空間２４の底部の前後方向に延びる固定片部５１と、この固定片部５１の後端部近傍から上方に突出した後、前方側に真っ直ぐ延びる可動片部５３と、固定片部５１の上記可動片部５３よりも後方側から上方に突出した後、内部空間２４の上部で前方に屈曲し、上板部２１の前方まで延びるカバー押え部５２とを備えている。可動片部５３の先端部からは、挿入空間２７に挿入された平形柔軟ケーブル７に対して下方から圧接される（いわゆる、下接点タイプの）接触部５６が上方に突出している。
【００３４】
固定片部５１の前端部は、ハウジング２の下板部２２よりも前方に張り出していて、その前端部には下方（配線基板８側）に突出するリード部５４が形成されている。このリード部５４と、配線基板８の実装面上のランドとの当接部に半田付けを行うことにより、当該当接部の周囲が半田フィレットで覆われ、第１コンタクト５が配線基板８に対して固定されて、当該第１コンタクト５が配線基板８に対して電気的に接続される。
【００３５】
また、固定片部５１の後端部には、後方に突出する圧入部５５が形成されていて、ハウジング２に形成された圧入孔２８１内に圧入部５５が前方から圧入されることにより、第１コンタクト５がハウジング２に固定される。圧入部５５の上端縁には、たとえば、圧入孔２８１に前方から圧入された圧入部５５を当該圧入孔２８１に係止するための係止突起５５１が形成されている。
カバー４には、カバー押え部５２の先端部に対応する位置に、当該カバー４を開閉する際にカバー押え部５２が干渉するのを防止するための窪み４４１が形成されている。この窪み４４１内には、カバー押え部５２の先端部に下方から当接する当接部４５が形成されている。当接部４５のカバー押え部５２側の周面（当接面４５１）は、断面略円形状の周面になっていて、カバー４の開閉に伴って回転する当接部４５を、その当接面４５１に当接するカバー押え部５２に対して滑らかに回転させることができるようになっている。カバー押え部５２の先端部には、対向する当接部４５の当接面４５１に沿うように下方に突出する突出部５２１が形成されている。
【００３６】
図４および図５を参照して、第２コンタクト６は、たとえば、ハウジング２の内部空間２４の後端部に配置され、その高さが内部空間２４の高さと略一致する略矩形の固定片部６１と、この固定片部６１の下部前端から内部空間２４の底部に沿って前方に延びる可動片部６３と、固定片部６１の上端部の前端から上板部２１の前方まで真っ直ぐ延びる圧入部６５とを備えている。可動片部６３の先端部からは、挿入空間２７に挿入された平形柔軟ケーブル７に対して下方から圧接される（いわゆる、下接点タイプの）接触部６６が上方に突出している。
【００３７】
ハウジング２の内部空間２４に第２コンタクト６が後方から挿入されることにより、圧入部６５がハウジング２内に形成された圧入孔２８２に圧入され、第２コンタクト６がハウジング２に固定される。圧入部６５の下端縁には、たとえば、圧入孔２８２に後方から圧入された第２コンタクト６の圧入部６５を係止するための係止突起６５１が形成されている。カバー４には、圧入部６５の先端部に対応する位置に、当該カバー４を開閉する際に圧入部６５が干渉するのを防止するための窪み４４２が形成されている。
【００３８】
固定片部６１の後端下部には、下方（配線基板８側）に突出するリード部６４が形成されていて、このリード部６４と、配線基板８の実装面上のランドとの当接部に半田付けを行うことにより、当該当接部の周囲が半田フィレットで覆われる。これにより、第２コンタクト６が配線基板８に対して固定され、当該第２コンタクト６が配線基板８に対して電気的に接続される。
この実施形態では、第１コンタクト５のリード部５４がハウジング２の前端部から下方に突出しており、第２コンタクト６のリード部６４がハウジング２の後端部から下方に突出しているので、当該電気コネクタ１を下方から見た場合に、各コンタクト５，６のリード部５４，６４が左右方向に沿って千鳥状に並んでいる。これにより、第１コンタクト５と第２コンタクト６との間隔（ピッチ）が狭い場合でも、各リード部５４，６４を配線基板８に半田付けするためのスペースを十分に確保することができるので、各リード部５４，６４の周囲に形成された半田フィレットが互いに干渉して短絡が生じるのを防止しつつ、実装密度を高めることができる。
【００３９】
図２（ａ）および図４（ａ）に示すようにカバー４が閉じられた状態からカバー４を開くと、受け部９（各コンタクト５，６の接触部５６，６６）とカバー４との間に、平形柔軟ケーブル７の厚さと同等以上の高さの挿入空間２７が形成されるとともに、カバー４により塞がれていた案内凹部２９２が開放される（図２（ｂ）および図４（ｂ）参照）。
平形柔軟ケーブル７を当該電気コネクタ１に取り付ける際には、図２（ｂ）および図４（ｂ）に示すようにカバー４を開いた状態で、平形柔軟ケーブル７の先端部を手前側からほぼ水平な（配線基板８の表面とほぼ平行な）挿入方向Ｄに沿って案内凹部２９２側に向かわせ、１対のガイド用突部７１をそれぞれ対応する第１ガイド面２９３に当接させる（図３（ａ）および図５（ａ）参照）。これにより、１対のガイド用突部７１の先端の幅方向（挿入方向Ｄに直交する水平方向）への変位が規制されて、当該平形柔軟ケーブル７の幅方向の位置決めが達成される。
【００４０】
この実施形態では、庇部材２９４の前端部に切欠き２９６が形成されていて、第１ガイド面２９３の前端部が第２ガイド面２９５に対向しない領域を有している。すなわち、第１ガイド面２９３は、そのケーブル挿入方向Ｄ手前側の端部が第２ガイド面２９５との対向位置を超えてケーブル挿入方向Ｄの手前側まで延設されている。したがって、平面視では第１ガイド面２９３の前端部が切欠き２９６を介して上方に開放されている。これにより、平形柔軟ケーブル７の先端部を案内凹部２９２側に向かわせる際、その先端部の位置が案内凹部２９２よりも若干上方にずれている場合でも、ガイド用突部７１を上記切欠き２９６を介して案内凹部２９２（第１ガイド面２９３側）に導くことができるので、平形柔軟ケーブル７の幅方向の位置決めがより容易である。
【００４１】
その後、ガイド用突部７１が案内凹部２９２内を通るようにして、平形柔軟ケーブル７の先端部をさらに後方（奥側）に導くと、ガイド用突部７１が第１ガイド面２９３から受け部９へと落下し、平形柔軟ケーブル７の先端部が受け部９によって受けられることとなる。その後、図３（ｂ）および図５（ｂ）に示すように平形柔軟ケーブル７を配線基板８の表面に対してほぼ平行にすれば、ガイド用突部７１が、受け部９と第１ガイド面２９３との段差面２９７に引っかかり、平形柔軟ケーブル７を手前側に引っ張っても抜けなくなる。これにより、平形柔軟ケーブル７の挿入方向Ｄの位置決めが達成される。
【００４２】
この実施形態では、配線基板８の表面と第１ガイド面２９３との距離が短い（たとえば、１．５ｍｍ程度）ので、平形柔軟ケーブル７の先端部近傍よりも手前側を摘んで、その摘んだ部分から手前側（先端部と反対側）の部分を上方に大きく撓ませなければ、平形柔軟ケーブル７の先端部を手前側からほぼ水平に案内凹部２９２側に向かわせることが困難である。この場合、案内凹部２９２内に導かれた平形柔軟ケーブル７の先端部のガイド用突部７１は第１ガイド面２９３に当接し、当該ガイド用突部７１から第１ガイド面２９３に対して、平形柔軟ケーブル７の撓みに基づく押圧力が作用する。
【００４３】
したがって、その後にガイド用突部７１が第１ガイド面２９３に沿うようにして平形柔軟ケーブル７の先端部が受け部９側に導かれ、当該平形柔軟ケーブル７の先端部が第１ガイド面２９３から受け部９へと落下するとき、平形柔軟ケーブル７の撓み量が多いので、撓み状態から戻る平形柔軟ケーブル７の先端部が受け部９に対して強くぶつかる。この場合、平形柔軟ケーブル７の先端部が受け部９にぶつかる際にクリック音（装着音）が生じるので、平形柔軟ケーブル７の位置決めが達成されたことが作業者に分かりやすい。したがって、位置決めをより良好に行うことができる。
【００４４】
この実施形態に係る電気コネクタ１のように比較的小型（薄型）の電気コネクタでは、特に平形柔軟ケーブル７の位置決めが困難であるので、上記の効果がより高い。
また、庇部材２９４が電気コネクタ１の前端上部の見やすい位置に配置されるので、平形柔軟ケーブル７の先端部を案内凹部２９２へと向かわせる際、庇部材２９４を目標とすれば、より容易に平形柔軟ケーブル７を案内することができる。
【００４５】
さらに、この実施形態では、１対の第２ガイド面２９５は、対応する第１ガイド面２９３にのみ対向し、受け部９に対向しないように配置されている。すなわち、１対の第２ガイド面２９５は、段差面２９７によって位置決めされる平形柔軟ケーブル７の１対のガイド用突部７１に対してケーブル挿入方向Ｄの手前側にずれた位置に配置されている。これにより、受け部９の左右両端（段差面２９７の後方）には、平面視で上方に臨む切欠き部９１が形成されていて（図１（ａ）参照）、受け部９により受けられた平形柔軟ケーブル７の１対のガイド用突部７１は、切欠き部９１を介して上方から視認可能となる。したがって、平形柔軟ケーブル７の位置決めが確実に達成されたことを作業者が視認できるので、位置決めをさらに良好に行うことができる。
【００４６】
図３（ｂ）および図５（ｂ）の状態からカバー４を閉じれば、平形柔軟ケーブル７を電気コネクタ１に固定することができる。このとき、挿入空間２７に平形柔軟ケーブル７の先端部が挿入されているので、カバー４を閉じようとすると、その回動するカバー４の後端縁が平形柔軟ケーブル７の上面に当たることとなる。そして、カバー４をさらに回動させると、カバー４の後端縁により、平形柔軟ケーブル７を介して第１コンタクト５および第２コンタクト６の可動片部５３，６３が下方に押圧され、弾性変形する。その後、図３（ｃ）および図５（ｃ）に示すようにカバー４が閉じられた状態になると、弾性変形していた第１コンタクト５および第２コンタクト６の可動片部５３，６３が元の状態に戻る。この状態では、平形柔軟ケーブル７の先端部の上面が、カバー４の下面に当接している。
【００４７】
カバー４の下面の後端縁には、下方に突出する加圧部３０が形成されている。図３（ｃ）および図５（ｃ）に示すようにカバー４が閉じられた状態では、加圧部３０が平形柔軟ケーブル７の先端部を上方から押圧するので、平形柔軟ケーブル７が第１コンタクト５および第２コンタクト６に対してしっかりと固定される。
この発明は、以上の実施形態の内容に限定されるものではなく、請求項記載の範囲内において種々の変更が可能である。
【００４８】
たとえば、平形柔軟ケーブル７の先端部を受けるための受け部９は、第１コンタクト５および第２コンタクト６の接触部５６，６６の先端によって構成されるものに限らず、たとえば、第１ガイド面２９３よりも１段低く配置された受け面により構成されていてもよい。
第１ガイド面２９３と第２ガイド面２９５は、同一の部材（案内部２９）により構成されるものに限らず、それぞれ別の部材で構成されていてもよい。
【００４９】
第１コンタクト５および第２コンタクト６は、平形柔軟ケーブル７に対して下方から圧接される、いわゆる下接点タイプのものに限らず、平形柔軟ケーブル７に対して上方から圧接される、いわゆる上接点タイプのものであってもよい。
また、複数のコンタクトが２種類のコンタクト（第１コンタクト５および第２コンタクト６）を含むような構成に限らず、たとえば、１種類のコンタクトにより構成されていてもよい。
【００５０】
上記実施形態では、平形柔軟ケーブル７の一例としてＦＰＣを用いて説明したが、この発明に係る電気コネクタ１は、たとえばＦＦＣ（Ｆｌｅｘｉｂｌｅ  Ｆｌａｔ  Ｃａｂｌｅ）などの他の平形柔軟ケーブルの取付けにも適用可能である。
【図面の簡単な説明】
【図１】この発明の一実施形態に係る電気コネクタの外観構成を示す図である。
【図２】図１（ａ）のＡ−Ａ線に沿った断面図であって、図２（ａ）は、平形柔軟ケーブルを挿入せずにカバーを閉じた状態、図２（ｂ）は、図２（ａ）の状態からカバーを開いた状態をそれぞれ示している。
【図３】図１（ａ）のＡ−Ａ線に沿った断面図であって、図３（ａ）は、カバーを開いた状態で平形柔軟ケーブルを挿入する途中の状態、図３（ｂ）は、平形柔軟ケーブルを挿入した後の状態、図３（ｃ）は、図３（ｂ）の状態からカバーを閉じた状態をそれぞれ示している。
【図４】図１（ａ）のＢ−Ｂ線に沿った断面図であって、図４（ａ）は、平形柔軟ケーブルを挿入せずにカバーを閉じた状態、図４（ｂ）は、図４（ａ）の状態からカバーを開いた状態をそれぞれ示している。
【図５】図１（ａ）のＢ−Ｂ線に沿った断面図であって、図５（ａ）は、カバーを開いた状態で平形柔軟ケーブルを挿入する途中の状態、図５（ｂ）は、平形柔軟ケーブルを挿入した後の状態、図５（ｃ）は、図５（ｂ）の状態からカバーを閉じた状態をそれぞれ示している。
【符号の説明】
１  電気コネクタ
７  平形柔軟ケーブル
７１  ガイド用突部
８  配線基板
９  受け部
２９３  第１ガイド面
２９４  庇部材
２９５  第２ガイド面
２９６  切欠き
２９７  段差面
Ｄ  挿入方向
【図１】
2004311204.tif 000003
【図２】
2004311204.tif 000004
【図３】
2004311204.tif 000005
【図４】
2004311204.tif 000006
【図５】
2004311204.tif 000007